(57)【特許請求の範囲】
【請求項１】
制御変圧器（４）用の切換装置（１）、特に予備選択器であって、前記制御変圧器（４）は、１つの第１巻線（２）と、１つの第１タップ（３．３）と１つの第２タップ（３．４）とを有する１つの第２巻線（３）とを備え、当該切換装置（１）は、
・前記第１巻線（２）に接続され得る１つの第１接続端子（２．１）と、
・前記第１タップ（３．３）に接続され得る１つの第２接続端子（３．１）と、
・前記第２タップ（３．４）に接続され得る１つの第３接続端子（３．２）と、
・１つの第１固定接触子（５．１）、１つの第２固定接触子（５．２）、１つの第３固定接触子（５．３）、及び１つの第４固定接触子（５．４）と、
・１つの真空バルブ（６）と、
・前記第１固定接触子（５．１）又は前記第２固定接触子（５．２）に選択式に接触可能である１つの第１可動接触子（７）と、
・前記第３固定接触子（５．３）又は前記第４固定接触子（５．４）に選択式に接触可能である１つの第２可動接触子（８）と、を有する当該切換装置において、
・前記第２固定接触子（５．２）と前記第４固定接触子（５．４）とが、前記第２接続端子（３．１）に接続されていて、
・前記第１固定接触子（５．１）と前記第３固定接触子（５．３）とが、前記第３接続端子（３．２）に接続されていて、
・前記第１可動接触子（７）が、前記真空バルブ（６）を介して前記第１接続端子（２．１）に接続されていて、
・前記第２可動接触子（８）が、前記第１接続端子（２．１）に接続されていて、
・前記真空バルブ（６）が、前記第１可動接触子（７）と前記第２可動接触子（８）とに対して不動に又は固定して取り付けられている当該切換装置（１）。
【請求項２】
・前記真空バルブ（６）が、上ホルダ（２２）と下ホルダ（２３）との間で少なくとも１つの接触ロッド（２０）に固定して取り付けられている請求項１に記載の切換装置（１）。
【請求項３】
・前記真空バルブ（６）を開き、閉じるためのロッカーレバー（３１）が、前記上ホルダ（２２）内に支承されている請求項２に記載の切換装置（１）。
【請求項４】
・複数の前記可動接触子（７，８）は、平行に上下になるように１つの切換管に取り付けられていて、
・前記切換管（２１）は、回転可能に支承されていて、
・複数の前記可動接触子（７，８）が、前記切換管（２１）の回転によって旋回移動を実行する請求項１〜３のいずれか１項に記載の切換装置（１）。
【請求項５】
・１つのカム板（３０）が、前記切換管（２１）に取り付けられていて、
・前記カム板（３０）が、前記切換管（２１）の回転によって旋回移動を実行し、
・前記カム板（３０）が、上ホルダ（２２）内のロッカーレバー（３１）と機械式に協働し、前記真空バルブ（６）を開くか又は閉じる請求項４に記載の切換装置（１）。
【請求項６】
・それぞれの可動接触子（７，８）は、複数の接触フィンガ（５１）を有する１つのハウジング（５０）を備え、これらの接触フィンガが、第１端部（５２）で機械式に摺動するように且つ通電するように前記それぞれの可動接触子（７，８）に割り当てられた１つのダイバータリング（２４，２５）に接続されていて、第２端部（５３）でそれぞれの前記固定接触子（５．１，５．２，５．３，５．４）に選択式に接続され得る請求項１〜５のいずれか１項に記載の切換装置（１）。
【請求項７】
・前記第１タップ（３．３）と前記第２タップ（３．４）とが、前記第２巻線（３）のそれぞれ１つの端部に配置されている請求項１〜６のいずれか１項に記載の切換装置（１）。
【請求項８】
前記切換装置は、
・前記第１タップ（３．３）と前記第２タップ（３．４）との間の前記第２巻線（３）の第３タップ（３．５）に接続され得る１つの第４接続端子（３．６）と、
・前記第４接続端子（３．６）に接続されている１つの抵抗器（１０）と、を有する請求項１〜７のいずれか１項に記載の切換装置（１）。
【請求項９】
前記切換装置は、
・前記抵抗器（１０）に対して直列に前記第４接続端子（３．６）に接続されている１つの断路器（１１）、及び／又は前記抵抗器（１０）に対して直列に前記第４接続端子（３．６）に接続されている１つの真空バルブ（１２）を有する請求項８に記載の切換装置（１）。
【請求項１０】
予備選択器又は極性切換器又は転位選択器として構成されている請求項１〜９のいずれか１項に記載の切換装置（１）。
【発明の詳細な説明】
【技術分野】
【０００１】
本発明は、制御変圧器の第１巻線と第２巻線とを選択式に接続するための、制御変圧器用の切換装置、特に予備選択器に関する。
【背景技術】
【０００２】
極性切換器、転位選択器又は多段転位選択器として構成され得る予備選択器は、通常は、主巻線と制御巻線とを有する制御変圧器用の負荷時タップ切換器で、タップ付き変圧器とも呼ばれる当該制御変圧器の調整範囲を拡張するために使用される。極性切換器は、制御巻線を主巻線と同じ方向に又は反対方向に当該主巻線に選択的に接続することを可能にする。転位選択器は、主巻線のより大きい部分、いわゆる転位ステップ巻線又は転位ステップを制御巻線に選択的に接続するか又は接続しない、すなわち当該転位ステップ巻線をブリッジすることを可能にする。
【０００３】
当該制御変圧器のステップ巻線と当該転位ステップとの双方が、その切り換え中に極性切換器又は転位選択器によって主巻線から短期間に電気的に分離される。この場合、当該制御変圧器のステップ巻線と当該転位ステップとの双方は、複数の隣接巻線の電圧からと、これらの隣接巻線と接地部分とに対する結合容量から発生する電位を受ける。これによって発生する差電圧が、部分的に著しい。当該差電圧は、開いている予備選択器接触子の切り換え経路に負荷をかけ、相当に高い場合は許容できない放電を引き起こし得る。アークとも呼ばれるこのような放電は、負荷時タップ切換器の絶縁湯中にガスを発生させる。特に、当該望ましくないガスの量が、上昇する系の電圧と共に増大するので、このガスの発生は望ましくない。
【０００４】
独国特許出願公開第２００９０２５３５８号明細書は、タップ付き変圧器の制御巻線の異なる複数の巻線タップ間を遮断なしに切り換えるために予備選択器を有する負荷時タップ切換器を記載している。当該予備選択器は、２つの固定予備選択器接触子を有し、極性切換器又は転位選択器として構成され得る。一方の固定予備選択器接触子が、制御巻線の始点に電気接続されていて、他方の固定予備選択器接触子が、当該制御巻線の終点に電気接続されている。１つの可動接触子が設けられていて、この可動接触子のルート端子が、当該タップ付き変圧器の主巻線に電気接続されていて、この可動接触子のルート端子が、これらの固定予備選択器接触子のうちの１つの固定予備選択器接触子に選択式に接続する。当該可動接触子は、長手方向に摺動可能に構成されていて、周囲に対して密閉して閉鎖されている切換室を有する。同様に長手方向に摺動可能な複数の接触部材が、この切換室内に存在する。これらの接触部材は、これらの固定予備選択器接触子のうちの１つの固定予備選択器接触子への切り換え時に、ばねの力に逆らって閉じられているものの、これらの固定予備選択器接触子間の切り換え中は開かれている。この既知の負荷時タップ切換器の欠点は、当該切換室の配置、稼働及び支承が、大きい構造コストになり、多大な設置空間を必要とすることにある。
【先行技術文献】
【特許文献】
【０００５】
【特許文献１】独国特許出願公開第２００９０２５３５８号明細書
【発明の概要】
【発明が解決しようとする課題】
【０００６】
本発明の課題は、簡単な構成を少ない設置空間で可能にする、制御変圧器用の切換装置を提供することにある。
【課題を解決するための手段】
【０００７】
この課題は、独立請求項の対象によって解決される。本発明の好適なその他の構成及び実施の形態は、従属請求項に記載されている。
【０００８】
以下では、「Ａが、Ｂに接続されている」の形式の表現は、「Ａが、Ｂに直接に導電接続されている」の意味と、「Ａが、間接に、すなわちＣを介してＢに導電接続されている」の意味とを含み、「Ａが、Ｂに接続されている」の形式の表現には、「Ａが、Ｂに直接に導電接続されている」の意味がある。
【０００９】
本発明は、制御変圧器用の切換装置を提唱する。この制御変圧器は、１つの第１巻線と、１つの第１タップと１つの第２タップとを有する１つの第２巻線とを備える。この切換装置は、
・前記第１巻線に接続され得る１つの第１接続端子と、
・前記第１タップに接続され得る１つの第２接続端子と、
・前記第２タップに接続され得る１つの第３接続端子と、
・１つの第１固定接触子、１つの第２固定接触子、１つの第３固定接触子、及び１つの第４固定接触子と、
・１つの真空バルブと、
・前記第１固定接触子又は前記第２固定接触子に選択式に接触可能である１つの第１可動接触子と、
・前記第３固定接触子又は前記第４固定接触子に選択式に接触可能である１つの第２可動接触子と、を有する当該切換装置において、
・前記第２固定接触子と前記第４固定接触子とが、前記第２接続端子に接続されていて、
・前記第１固定接触子と前記第３固定接触子とが、前記第３接続端子に接続されていて、
・前記第１可動接触子が、前記真空バルブを介して前記第１接続端子に接続されていて、
・前記第２可動接触子が、前記第１接続端子に接続されている。
【００１０】
当該提唱されている切換装置は、複数の可動接触子と複数の固定接触子とに接続している１つの真空バルブを使用することによって、非常に簡単で且つコンパクトな構造を可能にする。この真空バルブをこれらの可動接触子及び固定接触子から分離することによって、これらの可動接触子及び固定接触子を互いに独立して配置すること、したがって存在する接地空間を最善に利用することが可能である。さらに、この真空バルブは、絶縁油中のガスの発生を回避する。開いている真空バルブは、絶縁耐力を向上させ、アークが当該可動接触子と固定接触子との間で発生することを回避する。
【００１１】
当該提唱されている切換装置は、必要に応じて任意の種類及び方式で構成され得、例えば、少なくとも１つの真空バルブを有してもよく、又は追加の真空バルブを有しなくてもよい。
【００１２】
特に、当該真空バルブは、特に複数の可動接触子に対して不動に又は固定して取り付けられているので、切換装置の構造が、非常にコンパクトに構成され得る。この真空バルブの稼動に対して、これらの可動接触子は、一緒に移動される必要がない。
【００１３】
特に、例えば３相構造の制御変圧器の場合、提唱されている切換装置のうちの３つの切換装置が、上下になるように配置されていることが提唱されている。この場合、全ての切換装置の可動接触子と真空バルブとが、共通の１つの切換管によって稼動される。
【００１４】
特に、前記第１可動接触子、前記第１固定接触子及び前記第２固定接触子は、絶縁媒体又は空気又はＳＦ６又は絶縁油中に存在し、及び／又は特に真空バルブ及び半導体スイッチを有しない機械式の転換スイッチによって形成される。
【００１５】
特に、前記第２可動接触子、前記第３固定接触子及び前記第４固定接触子は、絶縁媒体又は空気又はＳＦ６又は絶縁油中に存在し、及び／又は特に真空バルブ及び半導体スイッチを有しない機械式の転換スイッチによって形成される。
・前記真空バルブが、上ホルダと下ホルダとの間で少なくとも１つの接触ロッドに固定して取り付けられていることが提唱され得る。
・ロッカーレバーが、前記真空バルブを開き、閉じるために前記上ホルダ内に支承されていることが提唱され得る。
・複数の前記可動接触子が、平行に上下になるように１つの切換管に取り付けられていて、
・前記切換管が、回転可能に支承されていて、
・複数の前記可動接触子が、前記切換管の回転によって旋回移動を実行することが提唱され得る。
・１つのカム板が、前記切換管に取り付けられていて、
・前記カム板が、前記切換管の回転によって旋回移動を実行し、
・前記カム板が、前記上ホルダ内の前記ロッカーレバーと機械式に協働し、前記真空バルブを開くか又は閉じることが提唱され得る。
・それぞれの可動接触子が、複数の接触フィンガを有する１つのハウジングを備え、これらの接触フィンガが、第１端部で機械式に摺動するように且つ通電するように前記それぞれの可動接触子に割り当てられた１つのダイバータリングに接続されていて、第２端部でそれぞれの前記固定接触子に選択式に接続され得ることが提唱され得る。
・前記第１タップと前記第２タップとが、前記第２巻線のそれぞれ１つの端部に配置されていることが提唱され得る。
【００１６】
前記切換装置が、
・前記第１タップと前記第２タップとの間の前記第２巻線の第３タップに接続され得る１つの第４接続端子と、
・前記第４接続端子に接続されている１つの抵抗器と、を有することが提唱され得る。
【００１７】
前記第４の接続端子が、例えば前記抵抗器を介してグラウンド又は接地電位又は前記制御変圧器のアースに接続されているか又は接続され得る。当該アース自体が、例えばグラウンド又は接地電位に接続されているか又は接続され得る。
【００１８】
前記切換装置が、
・前記抵抗器に対して直列に前記第４接続端子に接続されている１つの断路器、及び／又は前記抵抗器に対して直列に前記第４接続端子に接続されている１つの真空バルブを有することが提唱され得る。
【００１９】
前記切換装置が、予備選択器として、特に極性切換器又は転位選択器として構成されていることが提唱され得る。
【００２０】
以下に、本発明の実施の形態を添付図面に基づいて例示的により詳しく説明する。しかしながら、これから生じる個々の特徴は、個々の実施の形態に限定されないで、上記のさらなる個々の特徴及び／又はその他の実施の形態の個々の特徴と結合してもよく及び／又は組み合わせてもよい。当該図面中の詳細は、説明にすぎず、限定するものと解釈してはならない。特許請求の範囲に含まれている符号は、本発明の保護範囲を限定するものではなくて、図面中に示された実施の形態だけを示すものである。
【図面の簡単な説明】
【００２１】
【図１】切換開閉器と本発明の切換装置とを有する負荷時タップ切換器を備える制御変圧器を示す。
【図２ａ】切換装置の第１の実施の形態の回路図と、この切換装置の切換シーケンスとを示す。
【図２ｂ】切換装置の第１の実施の形態の回路図と、この切換装置の切換シーケンスとを示す。
【図２ｃ】切換装置の第１の実施の形態の回路図と、この切換装置の切換シーケンスとを示す。
【図２ｄ】切換装置の第１の実施の形態の回路図と、この切換装置の切換シーケンスとを示す。
【図２ｅ】切換装置の第１の実施の形態の回路図と、この切換装置の切換シーケンスとを示す。
【図２ｆ】切換装置の第１の実施の形態の回路図と、この切換装置の切換シーケンスとを示す。
【図２ｇ】切換装置の第１の実施の形態の回路図と、この切換装置の切換シーケンスとを示す。
【図３】図２ａ〜ｇの回路配置の好適な実施の形態の投影図を１つの相のための構造配置として示す。
【図４】図３の切換装置の別の投影図である。
【図５ａ】切換装置の第２の実施の形態の回路図である。
【図５ｂ】切換装置の第３の実施の形態の回路図である。
【図５ｃ】切換装置の第４の実施の形態の回路図である。
【図５ｄ】切換装置の第５の実施の形態の回路図である。
【図６】切換装置の第６の実施の形態の回路図である。
【図７】切換装置の第７の実施の形態の回路図である。
【発明を実施するための形態】
【００２２】
図１には、制御変圧器４の代表的な実施の形態が概略的に示されている。この制御変圧器４は、第１巻線及び第２巻線を有する高電圧側又は１次側と、低電圧側２次側４０と、切換開閉器４５と選択器４７と本発明の切換装置１とを有する負荷時タップ切換器４６とを備える。この制御変圧器４は、変圧器ハウジング４２によって包囲されている。この制御変圧器４の異なるタップ１３（図２参照）が、変圧器ハウジング４２の内部４４に配置された負荷時タップ切換器４６に接続され得る。制御変圧器４の適切な作動を保証し得るようにするため、負荷時タップ切換器４６が、妨害なしに必要な切換シーケンスを実行する必要がある。負荷時タップ切換器４６は、変圧器ハウジング４２内へ延在している。この変圧器ハウジング４２は、制御変圧器４の種類に応じてオイルで充填され得る。ここでは、負荷時タップ切換器４６は、切換開閉器４５と選択器４７とを例示的に有するが、負荷タップ選択器として構成されてもよい。
【００２３】
負荷時タップ切換器４６は、連結部を介して変圧器ハウジング４２の外壁４３に固定されているモータドライブ４８によって稼働される。しかしながら、このモータドライブ４８は、カバー４１、すなわち負荷時タップ切換器４６のヘッドに直接に取り付けられてもよい。
【００２４】
一般に、制御変圧器４は、それぞれの相ごとに少なくとも１つの第１巻線２と１つの第２巻線３とを有する。以下で図２に基づいて詳しく説明されるように、当該第１巻線と当該第２巻線とは、極性切換器又は転位選択器として構成され得る回路装置１によって互いに電気接続可能である。
【００２５】
図２ａには、負荷時タップ切換器４６用の切換装置１の第１の実施の形態の回路図が概略的に示されている。切換装置１は、３つの接続端子２．１，３．１，３．２を有する。この場合、第１接続端子２．１は、第１巻線２に接続されていて、第２接続端子３．１は、第２巻線３の第１タップ３．３に接続されていて、第３接続端子３．２は、第２巻線３の第２タップ３．４に接続されている。第１タップ３．３と第２タップ３．４とはそれぞれ、第２巻線３の端部に接続されている。
【００２６】
この実施の形態の場合、第１巻線２は、主巻線として構成されていて、第２巻線３は、制御巻線として構成されていて、切換装置１が、極性切換器の機能を実行する。
【００２７】
さらに、切換装置１は、４つの固定接触子５．１，５．２，５．３，５．４と、１つの固定式真空バルブ６と、２つの可動接触子７，８とを有する。当該第２固定接触子５．２と当該第４固定接触子５．４とが、第２接続端子３．１に導電接続されている。第１固定接触子５．１と第３固定接触子５．３とが、第３接続端子３．２に導電接続されている。
【００２８】
第１可動接触子７が、真空バルブ６を介して第１接続端子２．１に導電接続されている。第２可動接触子８が、第１接続端子２．１に直接に導電接続されている。第１可動接触子７が、第１固定接触子５．１又は第２固定接触子５．２に選択式に接続又は接触され得る。第２可動接触子８が、第３固定接触子５．３又は第４固定接触子５．４に選択式に接続又は接触され得る。
【００２９】
図２ａに示された切換装置１の位置の場合、第１巻線２が、一方では真空バルブ６と第１可動接触子７と第１固定接触子５．１とを介して、他方ではこれらに対して並列に第２可動接触子８と第３固定接触子５．３とを介して第２接続端子３．２に導電接続されている。
【００３０】
図２ｂは、図２ａの切換装置１の切り換えの第１ステップを示す。この場合、最初に、第２可動接触子８が、第３固定接触子５．３から解離される。その結果、第１巻線２が、真空バルブ６と第１可動接触子７と第１固定接触子５．１とだけを介して第２巻線３の第２接続端子３．２に接続されている。
【００３１】
図２ｃは、第２ステップを示す。この第２ステップでは、真空バルブ６が開かれる。その結果、第１巻線２と第２巻線との間の導電接続が存在しない。
【００３２】
図２ｄは、第３ステップを示す。この第３ステップでは、第１可動接触子７が、第１固定接触子から解離される。
【００３３】
図２ｅは、第４ステップを示す。この第４ステップでは、第１可動接触子７が、第２固定接触子５．２に切り換えられる。
【００３４】
図２ｆは、第５ステップを示す。この第５ステップでは、真空バルブ６が閉じられる。その結果、第１巻線２が、真空バルブ６と第１可動接触子７と第２固定接触子５．２とを介して第１接続端子３．１に導電接続されている。
【００３５】
図２ｇは、第６ステップを示す。この第６ステップでは、第２可動接触子８が、第４固定接触子５．４に切り換えられる。その結果、第１巻線２が、一方では真空バルブ６と第１可動接触子７と第２固定接触子５．２とを介して、他方ではこれらに対して並列に第２可動接触子８と第４固定接触子５．４とを介して第１接続端子３．１に導電接続されている。
【００３６】
逆方向の切り換えが、同様に逆の順序で実行される。
【００３７】
図３及び４には、図２ａ〜ｇの切換装置１の好適な実施の形態が、１つの相のための構造配置として概略的に示されている。
【００３８】
この実施の形態の場合、切換装置１が、垂直切換管２１の周りに配置されている円状に配置された複数の垂直接触ロッド２０を有する。この場合、真空バルブ６が、これらの接触ロッド２０に対して平行に、すなわち上ホルダ２２と下ホルダ２３との間で垂直に不動に又は固定して取り付けられている。両ホルダ２２，２３は、少なくとも１つの接触ロッド２０に固定されている。
【００３９】
第１ダイバータリング２４と第２ダイバータリング２５とが、切換管２１に取り付けられている。これらのダイバータリングと切換管２１との間の相対移動が可能であるように、当該両ダイバータリング２４，２５は支承されている。この場合、これらのダイバータリング２４，２５は、固定式に組み込まれていて、切換管２１が、１つの軸を中心にして２つの位置との間で回転され得る。
【００４０】
第２ダイバータリング２５は、電導体２６を介して真空バルブ６に導電接続されている。この電導体２６が、この第２ダイバータリング２５を固定する。第１可動接触子７が、切換管２１に固定されていて、この切換管２１の回転によって、この第２ダイバータリング２５と選択的に第１固定接触子５．１又は第２固定接触子５．２との間の導電接続を確立する。
【００４１】
第１ダイバータリング２４は、電導体２７を介して第１接続端子２．１に直接に導電接続されている。この電導体２７が、第１ダイバータリング２４を固定する。第２可動接触子８も、切換管２１に固定されていて、この切換管２１の回転によって、この第１ダイバータリング２４と選択的に第３固定接触子５．３又は第４固定接触子５．４との間の導電接続を確立する。
【００４２】
当該両ダイバータリング２４，２５は、切換管２１の回転中に一定の位置に留まり、この切換管２１と一緒に回転しない。
【００４３】
第１可動接触子７と第２可動接触子８とが、特に互いに平行に水平方向に切換管２１に取り付けられている。切り換えの実行時に、第１可動接触子７と第２可動接触子８とが、旋回移動を実行し、このときに４つの固定接触子５．１〜５．４に接続する。この場合、第２固定接触子５．２と第４固定接触子５．４とが、上下になるように１つの接触ロッド２０に取り付けられていて、１つの電導体２９を介して導電接続されている。第１固定接触子５．１と第３固定接触子５．３とが、隣接した１つの接触ロッド２０に固定されていて、電導体２８を介して同様に導電接続されている。切換管２１の回転時に、第１可動接触子７が、第２可動接触子８と一緒に並行して移動する間に、この第２可動接触子８が、当該それぞれの固定接触子５．３，５．４から最初に解離するが、この第１可動接触子７は、この第１固定接触子５．１又はこの第２固定接触子５．２上により長く接続されているままである。
【００４４】
それぞれの可動接触子７，８が、ハウジング５０と、このハウジング５０内に弾性式に支承された接触フィンガ５１とを有する。当該接触フィンガ５１は、第１端部５２から第２端部５３までハウジング５０の内部を通じて延在する。切換管２１の回転中に常に保証される摺動接続が、接触フィンガ５１の第１端部５２とそれぞれのダイバータリング２４，２５との間に存在する。同様に、接触フィンガ５１の第２端部５３が、それぞれの固定接触子５．１〜５．４へ向かって摺動するか又はこれらの固定接触子５．１〜５．４から離れるように摺動する。
【００４５】
さらに、同様に切換管２１の回転時に旋回移動を実行するカム板３０が、切換管２１に取り付けられている。このカム板３０は、当該旋回移動時にロッカーレバー３１と協働する。真空バルブ６が、このロッカーレバー３１によって開かれるか又は閉じられる。
【００４６】
図２ａ〜２ｇによる切り換えが、切換管２１に対する可動接触子７，８と固定接触子５．１〜５．４とカム板３０との配置によって実行され得るように、切換装置１が構成されている。
【００４７】
図５ａには、切換装置１の第２の実施の形態が概略的に示されている。この実施の形態は、第１の実施の形態と似ているので、以下では特に相違点だけをさらに詳しく説明する。
【００４８】
この実施の形態の場合、切換装置１が、第４接続端子３．６を有する。この第４接続端子３．６は、第１タップ３．３と第２タップ３．４との間の、特に中心の第２巻線３の第３タップ３．５に接続され得る。接地電位９に導電接続されている抵抗器１０が、第４接続端子３．６に接続されている。この抵抗器１０は、極性抵抗として、切換装置１の切り換え時に使用される。
【００４９】
図５ｂには、切換装置１の第３の実施の形態が概略的に示されている。この実施の形態は、第２の実施の形態と似ているので、以下では特に相違点だけをさらに詳しく説明する。
【００５０】
この実施の形態の場合、断路器１１が、接地電位９と抵抗器１０との間に接続されている。抵抗器１０が、この断路器１１によって接地電位９から電気的に分離され得る。この断路器１１は、２つの可動接触子７，８の稼働前に閉じられ、これらの可動接触子７，８の切り換えの実行後に開かれる。
【００５１】
図５ｃには、切換装置１の第４の実施の形態が概略的に示されている。この実施の形態は、第３の実施の形態と似ているので、以下では特に相違点だけをさらに詳しく説明する。
【００５２】
この実施の形態の場合、真空バルブ１２が、接地電位９と断路器１１との間に接続されている。断路器１１が稼働される前に、抵抗器１０が、この真空バルブ１２によって接地電位９から電気的に分離され得る。第４接続端子３．６と接地電位９との間の抵抗器１０と断路器１１と真空バルブ１２との配列又は順序は、任意に接続され得る。真空バルブ１２は、断路器１１を閉じた後に、すなわち可動接触子７，８を稼働させる前に閉じられる。真空バルブ１２は、断路器１１を開く前に、すなわち可動接触子７，８を稼働させた後に開かれる。
【００５３】
図５ｄには、切換装置１の第５の実施の形態が概略的に示されている。この実施の形態は、第４の実施の形態と似ているので、以下では特に相違点だけをさらに詳しく説明する。
【００５４】
この実施の形態の場合、断路器１１が省略されているので、真空バルブ１２だけが、接地電位９と抵抗器１０との間に配置されている。
【００５５】
図６には、切換装置１の第６の実施の形態が概略的に示されている。この実施の形態は、第１の実施の形態と似ているので、以下では特に相違点だけをさらに詳しく説明する。
【００５６】
この実施の形態の場合、第１巻線２が、制御巻線として構成されていて、第２巻線３が、主巻線として構成されていて、第２タップ３．４が、第２巻線３の下方向の３分の１の位置に例示的に配置されている。この場合、タップ３．３とタップ３．４との間の部分が、転位ステップ巻線又は転位ステップ５４と記される。この切換装置１は、転位選択器の機能を実行する。しかし、第２タップ３．４は、第２巻線３の任意の別の位置に配置されてもよい。
【００５７】
図７には、切換装置１の第７の実施の形態が概略的に示されている。この実施の形態は、第６の実施の形態と似ているので、以下では特に相違点だけをさらに詳しく説明する。
【００５８】
この実施の形態の場合、切換装置１が、第４接続端子３．６を有する。この第４接続端子３．６は、第１タップ３．３と第２タップ３．４との間の、特に中心の第２巻線３の第３タップ３．５に接続され得る。第５の実施の形態の場合と同様に、接地電位９に導電接続されている抵抗器１０と断路器１１と真空バルブ１２とから構成される直列回路が、第４接続端子３．６に接続されている。この抵抗器１０は、極性抵抗として、切換装置１の切り換え時に使用される。必要に応じて、断路器１１及び／又は真空バルブ１２が省略されてもよい。
【符号の説明】
【００５９】
１    切換装置
２    第１巻線
２．１    １の第１接続端子
３    第２巻線
３．１／３．２    第２／第３接続端子
３．３／３．４    ３の第１／第２タップ
３．５    ３の第３タップ
３．６    １の第４接続端子
４    制御変圧器
５．１／５．２／５．３／５．４    第１／第２／第３／第４固定接触子
６    真空バルブ
７    １の第１可動接触子
８    １の第２可動接触子
９    接地電位
１０    抵抗器
１１    断路器
１２    真空バルブ
１３    タップ
２０    接触ロッド
２１    切換管
２２    上ホルダ
２３    下ホルダ
２４    第１ダイバータリング、第１誘導リング、第１リークリング
２５    第２ダイバータリング、第２誘導リング、第２リークリング
２６    電導体
２７    電導体
２８    電導体
２９    電導体
３０    カム板
３１    ロッカーレバー
４０    ２次側
４１    カバー
４２    変圧器ハウジング
４３    外壁
４４    内部
４５    切換開閉器
４６    負荷時タップ切換器
４７    選択器
４８    モータドライブ
５０    ハウジング
５１    接触フィンガ
５２    第１端部
５３    第２端部
５４    転位ステップ
【図１】
0006611791.tif 000002
【図２ａ】
0006611791.tif 000003
【図２ｂ】
0006611791.tif 000004
【図２ｃ】
0006611791.tif 000005
【図２ｄ】
0006611791.tif 000006
【図２ｅ】
0006611791.tif 000007
【図２ｆ】
0006611791.tif 000008
【図２ｇ】
0006611791.tif 000009
【図３】
0006611791.tif 000010
【図４】
0006611791.tif 000011
【図５ａ】
0006611791.tif 000012
【図５ｂ】
0006611791.tif 000013
【図５ｃ】
0006611791.tif 000014
【図５ｄ】
0006611791.tif 000015
【図６】
0006611791.tif 000016
【図７】
0006611791.tif 000017